(57)【要約】  【課題】  直感的で操作性のよいスライドボリュームを入力手段として使用しながらも、安価で小型な超音波診断装置を提供すること。  【解決手段】  少なくとも一つのスライドボリュームを有するスライドボリューム部６１の出力を、ボリュームセレクタ７により、制御部５内の複数の制御部（ＳＴＣ制御部５１、ＣＩＮＥ制御部５２、３Ｄ制御部５３）のいずれかに切り替えて入力し、制御部５内の複数の制御部は、入力された制御量に基づいて送受信部２や信号処理部３や表示部４を制御して、超音波探触子１で受信した超音波信号から超音波像を作成し表示部４に表示する。【選択図】  図１
2006304859.tif 000002
【特許請求の範囲】
【請求項１】
少なくとも一つのスライドボリュームを有し、前記スライドボリュームによって設定された値を出力するスライドボリューム部と、少なくとも一つの制御量を入力され、この制御量に基づいて装置各部を制御して機能を実現する複数の制御部と、前記スライドボリューム部の出力を前記制御量として、前記複数の制御部のいずれかに切り替えて入力するボリュームセレクタとを備えることを特徴とする超音波診断装置。
【請求項２】
前記スライドボリューム部の出力を前記複数の制御部毎に記憶し、前記ボリュームセレクタにより前記スライドボリューム部の出力先が切り替えられたとき切替先の前記制御部に対応した記憶している値を前記スライドボリューム部に伝達する記憶部を備え、前記スライドボリューム部は、前記記憶部から伝達された値に基づいて前記スライドボリュームの位置を設定することを特徴とする請求項１に記載の超音波診断装置。
【請求項３】
前記制御部は、前記記憶部の対応する値を変更可能に構成されることを特徴とする請求項２に記載の超音波診断装置。
【請求項４】
前記スライドボリュームの出力が前記制御部の前記制御量として割り当てられているかを示す割当表示部を有することを特徴とする請求項１から請求項３までのいずれかに記載の超音波診断装置。
【請求項５】
前記スライドボリュームの出力が割り当てられている前記制御量の種別を表示することを特徴とする請求項１から請求項４までのいずれかに記載の超音波診断装置。
【発明の詳細な説明】
【技術分野】
【０００１】
本発明は、入力手段として少なくとも一つのスライドボリュームを有する超音波診断装置に関するものである。
【背景技術】
【０００２】
従来の超音波診断装置は、図１０に示すように、超音波探触子９１を介して被検体に超音波信号を送受信する送受信部９２と、送受信部９２が受信して処理した反射超音波信号を複数の手段で処理する信号処理部９３と、信号処理部９３の処理結果を表示する表示部９４と、複数の制御量の入力により装置各部を制御する制御部９５と、制御部９５に制御量を入力する制御量入力手段９６とを備えており、制御量入力手段９６は、例えば、コントロールパネルであり、少なくとも一つのスライドボリュームを有し、このスライドボリュームにより設定された制御量を出力するスライドボリューム部９６ａを少なくとも一つ有している。
【０００３】
このスライドボリューム部９６ａは、例えば、ＳＴＣ（Sensitivity Time Control）ボリュームであり、制御部９５内のＳＴＣ機能を実現するＳＴＣ制御部９５ａへ制御量を伝達するものである。
【０００４】
表示部９４には、被検体に当たって反射し超音波探触子９１で受信した反射超音波信号を元に生成された被検体内の超音波像が表示される。この際、被検体の深度に対する超音波の減衰特性は一定ではなく、深度によって得られる受信信号の強度が異なる。このため、超音波像、特にＢモード像では、補正を行わなければ深度によって良好な超音波像を得ることができない。
【０００５】
ＳＴＣはこれを解決する機能であり、信号処理部９３で被検体の深度に対する減衰特性に応じて受信信号に対するゲインを調整することによって、深度方向にむらの無い良好な超音波像を得ることができる。ここで、超音波診断装置の操作者は、ＳＴＣボリュームで任意にゲインを調整することができる。
【０００６】
ＳＴＣボリュームとしてのスライドボリューム部９６ａは、複数並んで配置されたスライドボリュームを有し、各々のスライドボリュームは、各々に対応付けされた深度のゲイン値を設定する。
【０００７】
ＳＴＣ制御部９５ａは、スライドボリューム部９６ａから伝達された制御量を元に、各深度のゲイン値を算出し、信号処理部９３へ伝える。
【０００８】
このようにして、スライドボリューム部９６ａとＳＴＣ制御部９５ａによって、被検体に対する超音波の減衰特性に応じて、受信信号に対するゲインを、被検体の深度に対応させて手動で調整することができる（例えば、特許文献１参照）。
【０００９】
このスライドボリューム部９６ａにおいては、スライドボリュームの並んだ方向が超音波像の深度方向と対応しており、スライドボリュームに対応する深度を視覚的に容易に認識できるようになっている。
【００１０】
また、複数の深度に対する設定を同時に操作することができ、各深度に対する入力量がスライドボリュームのつまみの物理的な位置に対応しているので、直感的で操作性のよいゲイン調整を可能にする。この利点は、ＳＴＣボリュームの場合に限らず、スライドボリューム部９６ａ一般に成り立つものである。
【００１１】
【特許文献１】特開平２−９９０４２号公報（第１−２頁、第１図）
【発明の開示】
【発明が解決しようとする課題】
【００１２】
しかしながら、上述した従来の超音波診断装置においては、スライドボリューム部９６ａが操作されない期間が存在する。これは、例えば、ＳＴＣボリュームの場合、ＳＴＣは主にＢモード像を得る際に使用されるため、良好な超音波像が得られるように調整された後や、ドプラ、カラードプラなどの機能を使用する場合、ＳＴＣボリュームを使用した調整は行われない。
【００１３】
一方、スライドボリューム部９６ａは、制御対象の割り当てが固定されており、他の機能に用いることはできない。これは、例えば、ＳＴＣボリュームの場合、ＳＴＣを調整する専用の調整手段であるため、他の制御に用いることはできない。
【００１４】
すなわち、特定の機能に専用のスライドボリューム部９６ａを設ける必要があるが、使用されない期間も多く、例えばＳＴＣボリュームとして使用する場合、個別にゲインを調整する複数の深度に対してそれぞれスライドボリュームを設けなければならず、実装面積が大きくなり、使用していない間も超音波診断装置の高機能化によって必要となる制御量入力手段９６の他のボリューム、ボタン等の実装面積を圧迫してしまうという問題があった。また、小型化が難しい上、部品にコストがかかるという問題もあった。
【００１５】
本発明は、従来の問題を解決するためになされたもので、直感的で操作性のよいスライドボリュームを入力手段として使用しながらも、安価で小型な超音波診断装置を提供することを目的とする。
【課題を解決するための手段】
【００１６】
本発明の超音波診断装置は、少なくとも一つのスライドボリュームを有し、前記スライドボリュームによって設定された値を出力するスライドボリューム部と、少なくとも一つの制御量を入力され、この制御量に基づいて装置各部を制御して機能を実現する複数の制御部と、前記スライドボリューム部の出力を前記制御量として、前記複数の制御部のいずれかに切り替えて入力するボリュームセレクタとを備える構成を有している。
【００１７】
この構成により、スライドボリューム部を複数の制御部で共有することができ、スライドボリュームの操作性を複数の機能で使用可能になる。また、一つの制御量入力手段を複数の制御部で共有できることから、スライドボリューム部を増やす必要がなく、実装面積を削減して小型化することができるとともに、コストを削減することができる。
【００１８】
ここで、前記スライドボリューム部の出力を前記複数の制御部毎に記憶し、前記ボリュームセレクタにより前記スライドボリューム部の出力先が切り替えられたとき切替先の前記制御部に対応した記憶している値を前記スライドボリューム部に伝達する記憶部を備え、前記スライドボリューム部は、前記記憶部から伝達された値に基づいて前記スライドボリュームの位置を設定する構成とした。
【００１９】
この構成により、ボリュームセレクタによりスライドボリューム部の出力先が変更された後も、変更前の制御部への制御量を保持、反映させることができる。また、スライドボリュームの出力先を元に戻したとき、スライドボリュームの位置を記憶部に記憶された変更前の位置へ復帰させることができる。
【００２０】
また、前記制御部は、前記記憶部の対応する値を変更可能に構成されることとした。
【００２１】
この構成により、記憶部に記憶される制御量と、切替後のスライドボリュームの位置を、制御部から制御することができる。
【００２２】
また、前記スライドボリュームの出力が前記制御部の前記制御量として割り当てられているかを示す割当表示部を有する構成とした。
【００２３】
この構成により、スライドボリューム部に並ぶ一つ以上のスライドボリュームの出力が制御部の制御量として割り当てられているかを容易に認知させることができる。
【００２４】
また、前記スライドボリュームの出力が割り当てられている前記制御量の種別を表示する構成とした。
【００２５】
この構成により、スライドボリューム部に並ぶ一つ以上のスライドボリュームの出力が割り当てられている制御量の種別を認知させることができる。
【発明の効果】
【００２６】
本発明によれば、スライドボリューム部の出力の伝達先を、複数の制御部のいずれかに切り替えるボリュームセレクタを設けることにより、直感的で操作性のよいスライドボリュームを入力手段として使用しながらも、小型化とコストの削減を図ることができる。
【発明を実施するための最良の形態】
【００２７】
以下、本発明の実施の形態について、図面を参照して説明する。
【００２８】
（第１の実施の形態）
図１は本発明の第１の実施の形態の超音波診断装置を示す図である。
【００２９】
図１において、本実施の形態の超音波診断装置は、超音波探触子１を介して被検体に超音波信号を送受信する送受信部２と、送受信部２が受信して処理した反射超音波信号を複数の手段で処理する信号処理部３と、信号処理部３の処理結果を表示する表示部４と、複数の制御量の入力により装置各部を制御する制御部５と、設定された制御量を出力するスライドボリューム部６１を有し制御部５に制御量を入力する制御量入力手段６と、スライドボリューム部６１からの制御量の伝達先を切り替えるボリュームセレクタ７とを備えている。
【００３０】
スライドボリューム部６１は、図２に示すように、少なくとも一つのスライドボリューム６１１（図では、６１１ａ〜６１１ｇの７個）を有し、このスライドボリューム６１１により設定された制御量を出力する。
【００３１】
制御部５は、ＳＴＣ機能を実現するＳＴＣ制御部５１と、記憶している情報から任意の時刻の超音波像を表示するＣＩＮＥ表示機能を実現するＣＩＮＥ制御部５２と、被検体の立体像を表示する３Ｄ像表示機能を実現する３Ｄ制御部５３とを有しており、ボリュームセレクタ７は、スライドボリューム部６１からの制御量を、この三つの制御部の一つに入力するようになっている。
【００３２】
このような超音波診断装置において、Ｂモード像実時間表示機能を使用しているときは、ボリュームセレクタ７は、スライドボリューム部６１の制御量をＳＴＣ制御部５１に伝達するように切り替えられる。
【００３３】
スライドボリューム部６１は、それぞれのスライドボリューム６１１ａ〜６１１ｇで設定された制御量を出力し、ＳＴＣ制御部５１は、スライドボリューム部６１から伝達されたそれぞれのスライドボリューム６１１ａ〜６１１ｇの制御量を元に、それぞれのスライドボリューム６１１ａ〜６１１ｇに対応する深度のゲイン値を算出し、信号処理部３へ伝える。
【００３４】
表示部４には、実時間で得られる被検体の超音波像が表示され、超音波診断装置の使用者は、スライドボリューム部６１を操作することによって、被検体に対する超音波の減衰特性に応じて、受信信号に対するゲインを、被検体の深度に対応させて手動で調整することができる。
【００３５】
次に、Ｂモード像実時間表示機能から、Ｂモード像ＣＩＮＥ表示機能に移行した場合について説明する。
【００３６】
Ｂモード像ＣＩＮＥ表示機能は、超音波像の生成に必要な情報を時系列に記憶装置に蓄えておき、後に記憶している情報から、任意の時刻のＢモード像を表示する機能である。
【００３７】
この機能では、表示するＢモード像の時刻を指定する入力手段が必要となる。この入力手段にスライドボリューム部６１を使用する。
【００３８】
このため、ボリュームセレクタ７は、スライドボリューム部６１の制御量がＣＩＮＥ制御部５２に伝達されるように切り替えられる。
【００３９】
ＣＩＮＥ制御部５２は、スライドボリューム部６１から伝達された制御量を元に、スライドボリューム６１１ａ〜６１１ｇの一つのスライドボリュームの制御量から表示する時刻を算出し、算出した時刻のＢモード像を表示する。
【００４０】
スライドボリュームの制御量から時刻を算出する方法としては、例えば、スライドボリュームの値を時刻に写像する。これによって、スライドボリュームを停止させるとＢモード像が停止し、スライドボリュームを動かすと、逐次その制御量に対応した時刻のＢモード像を表示する。
【００４１】
このようにして、超音波診断装置の使用者は、表示するＢモード像の時刻を、スライドボリューム部６１によって任意に指定できる。
【００４２】
また、別の例として、スライドボリュームの制御量の大きさを時刻の変化速度に対応させて時系列にＢモード像を表示させてもよい。すなわち、スライドボリュームが中心位置のときはＢモード像を停止し、そこからスライドボリュームを最大側に動かすと、その変位量に応じてＢモード像の変化の速度を速くし、最小側に動かすと、Ｂモード像の逆向き再生（時間を遡行して再生）し、その変位量に応じてＢモード像の変化の速度を速くする。
【００４３】
このようにして、超音波診断装置の使用者は、Ｂモード像の再生速度を、スライドボリューム部６１によって任意に指定できる。
【００４４】
次に、Ｂモード像ＣＩＮＥ表示機能から、３Ｄ像表示機能に移行した場合について説明する。
【００４５】
３Ｄ像表示機能とは、超音波探触子１によって受信された反射超音波信号から、被検体の立体像を生成し、表示する機能である。
【００４６】
３Ｄ像表示機能では、Ｂモード像表示機能に比べ、より多くの制御量が必要となる。例えば、反射超音波信号の閾値処理およびゲイン処理、描画する立体像の領域決定および切り出し位置の指定、視点位置の指定、拡大率の決定などに使用される。これらの入力手段としてスライドボリューム部６１を使用する。
【００４７】
このため、ボリュームセレクタ７は、スライドボリューム部６１の制御量が３Ｄ制御部５３に伝達されるように切り替えられる。
【００４８】
３Ｄ制御部５３は、スライドボリューム部６１から伝達されたそれぞれのスライドボリューム６１１ａ〜６１１ｇの制御量を元に、それぞれのスライドボリューム６１１ａ〜６１１ｇに対応する上述の制御量を算出し、算出した制御量に基づいて３Ｄ像表示機能を制御する。
【００４９】
このようにして、超音波診断装置の使用者は、表示する３Ｄ像を、スライドボリューム部６１によって任意に制御できる。
【００５０】
このように本実施の形態においては、スライドボリューム部６１の制御量伝達先を切り替えるボリュームセレクタ７を設けているので、一つのスライドボリューム部６１を制御部５内の複数の制御部（ＳＴＣ制御部５１、ＣＩＮＥ制御部５２、３Ｄ制御部５３）の入力手段として使用することができ、スライドボリューム部６１を複数備える必要がなく、安価で小型な超音波診断装置を提供することができる。
【００５１】
また、スライドボリューム部６１の直感的な操作性の良さを制御部５内の複数の制御部（ＳＴＣ制御部５１、ＣＩＮＥ制御部５２、３Ｄ制御部５３）で共有することができる。
【００５２】
なお、制御部５内の制御部としては、ドプラ音量制御部やＲＯＩ（Region of Interest ）制御部なども同様に実施可能である。
【００５３】
また、ボリュームセレクタ７によって切り替えるスライドボリュームの数は、スライドボリューム部６１の全てのスライドボリュームでなくてもよく、その一部（２個や３個）だけ切り替えるようにしてもかまわない。
【００５４】
また、スライドボリューム部６１によって調整可能な制御量は、スライドボリューム部６１以外の制御量入力手段６によっても同時に制御可能であってもかまわない。
【００５５】
また、ボリュームセレクタ７の切替は、スイッチやボタンなどによる手動制御であっても、機能切替等により自動的に切り替える自動制御であってもよい。
【００５６】
本実施の形態の第１の他の態様としては、図３に示すように、スライドボリューム６１１ａ〜６１１ｇの横に割当表示部６１２ａ〜６１２ｇを設け、スライドボリューム６１１ａ〜６１１ｇが制御部５内の制御部の入力手段として割り当てられているかを表示するようにする。
【００５７】
具体的には、割当表示部６１２ａ〜６１２ｇは、ＬＥＤ（Light Emitting Diode）で構成され、対応するスライドボリューム６１１ａ〜６１１ｇが制御部５内の制御部の入力手段として割り当てられているか（スライドボリューム６１１ａ〜６１１ｇの制御量が制御部５内の制御部で使われているか）を、点灯により表示する。
【００５８】
図３では、割当表示部６１２ａ〜６１２ｅは点灯していて、割当表示部６１２ｆ、６１２ｇは消灯しており、スライドボリューム６１１ａ〜６１１ｅに設定されている制御量はボリュームセレクタ７で選択された制御部５内の制御部で対応する制御量として使用されていて、スライドボリューム６１１ｆ、６１１ｇに設定されている制御量は使用されていないことを示している。
【００５９】
このように構成することによって、割り当てられていないスライドボリュームが存在する場合も、スライドボリュームが割り当てられているか否かを視覚的に容易に認知させることができる。
【００６０】
なお、本他の態様では、スライドボリューム６１１ａ〜６１１ｇと割当表示部６１２ａ〜６１２ｇが一対一で対応している場合を示したが、割当表示部の数はスライドボリュームの数と同じでなくてもよい。
【００６１】
また、割当表示部は、スライドボリュームのつまみの上に実装してもよいし、表示部４に表示するようにしてもよい。
【００６２】
また、本他の態様では、割当表示部６１２ａ〜６１２ｇが点灯していれば割当が有り、消灯していれば割当が無い場合を示したが、逆の対応でもかまわない。
【００６３】
さらに、割当表示部の点灯する色を変えてもよい。これは、例えば、推奨されるスライドボリュームの値の範囲であるときは緑色を点灯し、推奨されない範囲の時は赤色を点灯するようにするなどである。
【００６４】
また、割当の無いスライドボリュームは、制御部５からの制御によりスライドボリュームをロックして操作できないようにしてもよい。
【００６５】
本実施の形態の第１の他の態様としては、図４に示すように、表示部４に、被検体の超音波像を表示する超音波像表示面４１とともに、スライドボリューム部６１のスライドボリュームに対応する制御対象（スライドボリュームにより制御される制御量の種別）を表示する制御量対応表４２を表示するようにする。
【００６６】
このように構成することによって、スライドボリューム部６１の制御対象が複数存在する場合でも、それぞれのスライドボリュームに対応する制御対象を容易に認識させることができる。
【００６７】
なお、制御量対応表４２は、表示部４の主表示装置でなくても、副表示装置などに表示してもよい。
【００６８】
（第２の実施の形態）
次に、図５は本発明の第２の実施の形態の超音波診断装置を示す図である。なお、本実施の形態は、上述の第１の実施の形態と略同様に構成されているので、同様な構成には同一の符号を付して特徴部分のみ説明する。
【００６９】
本実施の形態の超音波診断装置は、スライドボリューム部６２からの制御量を記憶し、記憶している制御量をスライドボリューム部６２に伝達可能な記憶装置８を備え、スライドボリューム部６２は、記憶装置８から伝達された制御量に基づいて各スライドボリュームの位置を制御することを特徴としている。
【００７０】
記憶装置８は、スライドボリューム部６２を入力手段とする制御部５内の制御部（ＳＴＣ制御部５１、ＣＩＮＥ制御部５２、３Ｄ制御部５３）毎に記憶領域（ＳＴＣ用領域８ａ、ＣＩＮＥ用領域８ｂ、３Ｄ用領域８ｃ）を確保し、この記憶領域にスライドボリューム部６２からの制御量を制御部５内の制御部毎に記憶する。
【００７１】
このような超音波診断装置の動作について図６から図８を用いて説明する。
【００７２】
図６は、ボリュームセレクタ７が、スライドボリューム部６２の制御量を、記憶装置８を経由してＳＴＣ制御部５１に伝達している場合である。
【００７３】
この状態では、超音波診断装置の使用者は、スライドボリューム部６２を操作することによって、被検体に対する超音波の減衰特性に応じて、受信信号に対するゲインを、被検体の深度に対応させて手動で調整することができる。
【００７４】
このときの調整後のスライドボリューム部６２のスライドボリューム６２１ａ〜６２１ｇの状態が図９（ａ）のようであったとする。この状態のスライドボリューム部６２からの制御量は、記憶装置８のＳＴＣ用領域８ａに記憶されている。
【００７５】
次に、ボリュームセレクタ７で切替操作を行い、図７に示すように、スライドボリューム部６２の制御量を、記憶装置８を経由してＣＩＮＥ制御部５２に伝達する状態に移行する。
【００７６】
このとき、記憶装置８は、ＣＩＮＥ用領域８ｂに制御量が記憶されていないので、スライドボリューム部６２への制御量の伝達は行わず、スライドボリューム部６２の制御量をＣＩＮＥ制御部５２に伝達する。
【００７７】
ＣＩＮＥ制御部５２では、スライドボリューム部６２より伝達された制御量から、表示する時刻を算出する。
【００７８】
この状態では、超音波診断装置の使用者は、スライドボリューム部６２を操作することによって、表示する超音波像の時刻を手動で調整することができる。
【００７９】
スライドボリューム部６２を操作して表示時刻を調整した状態のスライドボリューム部６２のスライドボリューム６２１ａ〜６２１ｇの状態は、図９（ａ）の状態から図９（ｂ）のように変えられる。
【００８０】
ＳＴＣ制御部５１には、図６で調整した制御量が記憶装置８のＳＴＣ用領域８ａから入力され、ＣＩＮＥ制御部５２の制御のためにスライドボリューム部６２を操作してもＳＴＣ制御部５１には影響がなく、超音波診断装置の使用者により調整された制御量（記憶装置８のＳＴＣ用領域８ａに記憶されている制御量）が維持される。
【００８１】
次に、再度ボリュームセレクタ７で切替操作を行い、スライドボリューム部６２とＳＴＣ制御部５１を記憶装置８を経由して接続すると、図８に示すように、記憶装置８は、ＳＴＣ用領域８ａに記憶されている制御量をスライドボリューム部６２に伝達する。
【００８２】
スライドボリューム部６２は、記憶装置８から制御量を受信すると、受信した制御量に対応する位置にスライドボリューム６２１ａ〜６２１ｇを設定し、その後、図６に示すように、スライドボリューム部６２の制御量を記憶装置８経由でＳＴＣ制御部５１に伝達する状態に移行し、切替を完了する。
【００８３】
切替直後のスライドボリューム部６２は、ＣＩＮＥ制御部５２に対して行った制御量にスライドボリューム６２１ａ〜６２１ｇの値が設定された図９（ｂ）の状態であり、記憶装置８のＳＴＣ用領域８ａに記憶されている制御量とは一致しない。このため、記憶装置８に記憶されている制御量に合わせてスライドボリューム６２１ａ〜６２１ｇの位置を設定し、その後に、スライドボリューム部６２の制御量をＳＴＣ制御部５１に伝達するようにすることで、切替後のスライドボリューム部６２の制御量とＳＴＣ制御部５１に設定されている制御量との不整合を解消することができる。
【００８４】
このように本実施の形態においては、スライドボリューム部６２の制御量を記憶装置８に記憶しておき、切替時に記憶装置８に記憶している制御量をスライドボリューム部６２に伝達し、スライドボリューム部６２が記憶装置８からの制御量に合わせてスライドボリューム６２１ａ〜６２１ｇの位置を設定しているので、切替時に記憶装置８に記憶され制御部５に入力されている制御量の位置にスライドボリューム６２１ａ〜６２１ｇを戻すことができ、ボリュームセレクタ７を切り替えた際の、スライドボリューム部６２に設定されている制御量と制御部５内の各制御部に伝達されている制御量との間の不整合を解消することができる。
【００８５】
なお、記憶装置８に記憶される制御量は、プリセットの値を設定したり、逐次変遷する値を設定したり、制御部５内の各制御部から任意に変更できるようにしてもよい。
【００８６】
また、ボリュームセレクタ７によって切り替えるスライドボリュームの数は、スライドボリューム部６２の全てのスライドボリュームでなくてもよく、その一部（２個や３個）だけ切り替えるようにしてもかまわない。
【産業上の利用可能性】
【００８７】
以上のように、本発明にかかる超音波診断装置は、直感的で操作性のよいスライドボリュームを入力手段として使用しながらも、小型化とコストの削減を図ることができるという効果を有し、入力手段として少なくとも一つのスライドボリュームを有する超音波診断装置等として有用である。
【図面の簡単な説明】
【００８８】
【図１】本発明の第１の実施の形態における超音波診断装置のブロック図
【図２】本発明の第１の実施の形態における超音波診断装置のスライドボリューム部の構成図
【図３】本発明の第１の実施の形態の第１の他の態様における超音波診断装置のスライドボリューム部の正面図
【図４】本発明の第１の実施の形態の第１の他の態様における超音波診断装置の表示部の表示を示す図
【図５】本発明の第２の実施の形態における超音波診断装置のブロック図
【図６】本発明の第２の実施の形態における超音波診断装置のスライドボリューム部からの制御量の伝達を示す図
【図７】本発明の第２の実施の形態における超音波診断装置のボリュームセレクタによる切替後の制御量の伝達を示す図
【図８】本発明の第２の実施の形態における超音波診断装置のスライドボリューム部への制御量の伝達を示す図
【図９】（ａ）本発明の第２の実施の形態における超音波診断装置のスライドボリューム部の第１の設定例を示す正面図  （ｂ）本発明の第２の実施の形態における超音波診断装置のスライドボリューム部の第２の設定例を示す正面図
【図１０】従来の超音波診断装置のブロック図
【符号の説明】
【００８９】
１  超音波探触子
２  送受信部
３  信号処理部
４  表示部
４１  超音波像表示面
４２  制御量対応表
５  制御部
５１  ＳＴＣ制御部
５２  ＣＩＮＥ制御部
５３  ３Ｄ制御部
６  制御量入力手段
６１  スライドボリューム部
６１１ａ〜６１１ｇ  スライドボリューム
６１２ａ〜６１２ｇ  割当表示部
６２  スライドボリューム部
６２１ａ〜６２１ｇ  スライドボリューム
７  ボリュームセレクタ
８  記憶装置
８ａ  ＳＴＣ用領域
８ｂ  ＣＩＮＥ用領域
８ｃ  ３Ｄ用領域
９１  超音波探触子
９２  送受信部
９３  信号処理部
９４  表示部
９５  制御部
９５ａ  ＳＴＣ制御部
９６  制御量入力手段
９６ａ  スライドボリューム部
【図１】
2006304859.tif 000003
【図２】
2006304859.tif 000004
【図３】
2006304859.tif 000005
【図４】
2006304859.tif 000006
【図５】
2006304859.tif 000007
【図６】
2006304859.tif 000008
【図７】
2006304859.tif 000009
【図８】
2006304859.tif 000010
【図９】
2006304859.tif 000011
【図１０】
2006304859.tif 000012